(57)【要約】【課題】乗員保護機能を有する車両において、乗員保護性能をさらに向上する。【解決手段】自動車１は、自動車１に乗車した乗員を撮像可能な内カメラ４１を有し、内カメラ４１により撮像された画像に基づいて乗員を判定する乗員監視装置４０と、自動車１の衝突を検出可能な加速度センサ７５と、センサにより衝突が検出された場合、乗員監視装置４０により判定された乗員の判定結果に基づいて、車両に乗車した乗員の保護動作を実行する乗員保護装置２６と、を有する。乗員保護装置２６は、乗員保護の際の前記乗員の首ねじれを抑制するように、乗員保護を実行する。【選択図】  図３
2020142738.tif 000002
【特許請求の範囲】
【請求項１】
車両に乗車した乗員を撮像可能な撮像デバイスを有し、前記撮像デバイスにより撮像された画像に基づいて乗員を判定する乗員監視装置と、
前記車両の衝突を検出可能なセンサと、
前記センサにより前記車両の衝突が検出された場合、前記乗員監視装置により判定された乗員の判定結果に基づいて、車両に乗車した乗員の保護動作を実行する乗員保護装置と、
を有し、
前記乗員保護装置は、乗員保護の際の前記乗員の首ねじれを抑制するように、乗員保護を実行する、
乗員保護機能を有する車両。
【請求項２】
前記乗員監視装置は、前記撮像デバイスにより撮像される衝突検出前の画像に基づいて、衝突検出前の首ねじれを判定し、
前記乗員保護装置は、衝突検出前の首ねじれを抑制するように、保護動作を開始する、
請求項１記載の、乗員保護機能を有する車両。
【請求項３】
前記乗員監視装置は、前記撮像デバイスにより撮像される衝突検出前の画像に基づいて、衝突検出前の首ねじれとして、小ねじれおよび大ねじれを判定し、
前記乗員保護装置は、衝突検出前に首の大ねじれが判定される場合、衝突検出前の首ねじれを抑制する保護動作を開始してから、乗員の上半身を支えるためのエアバッグを展開する、
請求項１または２記載の、乗員保護機能を有する車両。
【請求項４】
前記乗員監視装置は、前記撮像デバイスにより撮像される衝突検出前の画像に基づいて、衝突検出前の首ねじれとして、小ねじれおよび大ねじれを判定し、
前記乗員保護装置は、衝突検出前に首の小ねじれが判定される場合、衝突検出前の首ねじれが、乗員の上半身を支えるために展開されるエアバッグにより衝撃を吸収する際に増大し難くなるように、保護動作を実行する、
請求項１から３のいずれか一項記載の、乗員保護機能を有する車両。
【請求項５】
前記乗員監視装置は、前記撮像デバイスにより撮像される衝突検出後の画像に基づいて、衝突検出後の首ねじれを判定し、
前記乗員保護装置は、保護動作を開始した後に、衝突検出後の首ねじれが増大し難くなるように、保護動作を実行する、
請求項１から４のいずれか一項記載の、乗員保護機能を有する車両。
【請求項６】
前記乗員監視装置は、衝突の入力方向へ向かう方向、または衝突の入力方向において乗員を支えるために展開するエアバッグの方向を判断の基準とする正対方向として、画像から得られる乗員の上半身の向きと頭部の向きとを判定し、判定した上半身の向きと頭部の向きとの差を、乗員の首ねじれとして判定する、
請求項１から５のいずれか一項記載の、乗員保護機能を有する車両。
【請求項７】
前記乗員監視装置は、車両の衝突が予測される場合に、画像から得られる乗員の頭部の向きが、乗員を直接に支えるメインエアバッグへ向いていない場合、乗員の頭部をメインエアバッグへ向けるための処理を実行する、
請求項１から６のいずれか一項記載の、乗員保護機能を有する車両。
【請求項８】
前記乗員監視装置と前記乗員保護装置とを接続するネットワーク、を有し、
前記乗員監視装置は、乗員の前記判定結果として、首ねじれの判定結果またはそれに基づく乗員保護の展開指示を前記ネットワークへ出力する、
請求項１から７のいずれか一項記載の、乗員保護機能を有する車両。
【発明の詳細な説明】
【技術分野】
【０００１】
本発明は、乗員保護機能を有する車両に関する。
【背景技術】
【０００２】
車両では、特許文献１のように、衝突の際に展開するエアバッグなどの乗員保護装置が用いられる。これにより、乗員が着座位置から大きく外れ難くなり、乗員に対する一定の保護効果が期待できる。
【先行技術文献】
【特許文献】
【０００３】
【特許文献１】特開２０００−０１６２３０号公報
【発明の概要】
【発明が解決しようとする課題】
【０００４】
しかしながら、衝突の際にエアバッグを展開したとしても、乗員の保護効果は十分になるとは限らない。
たとえば、エアバッグなどによる乗員保護の際に、乗員の頭部の向きが上半身の向きに対して異なる場合、首ねじれが生じる可能性がある。
【０００５】
このように、乗員保護機能を有する車両では、乗員保護性能をさらに向上することが求められる。
【課題を解決するための手段】
【０００６】
本発明に係る乗員保護機能を有する車両は、車両に乗車した乗員を撮像可能な撮像デバイスを有し、前記撮像デバイスにより撮像された画像に基づいて乗員を判定する乗員監視装置と、前記車両の衝突を検出可能なセンサと、前記センサにより前記車両の衝突が検出された場合、前記乗員監視装置により判定された乗員の判定結果に基づいて、車両に乗車した乗員の保護動作を実行する乗員保護装置と、を有し、前記乗員保護装置は、乗員保護の際の前記乗員の首ねじれを抑制するように、乗員保護を実行する。
【０００７】
好適には、前記乗員監視装置は、前記撮像デバイスにより撮像される衝突検出前の画像に基づいて、衝突検出前の首ねじれを判定し、前記乗員保護装置は、衝突検出前の首ねじれを抑制するように、保護動作を開始する、とよい。
【０００８】
好適には、前記乗員監視装置は、前記撮像デバイスにより撮像される衝突検出前の画像に基づいて、衝突検出前の首ねじれとして、小ねじれおよび大ねじれを判定し、前記乗員保護装置は、衝突検出前に首の大ねじれが判定される場合、衝突検出前の首ねじれを抑制する保護動作を開始してから、乗員の上半身を支えるためのエアバッグを展開する、とよい。
【０００９】
好適には、前記乗員監視装置は、前記撮像デバイスにより撮像される衝突検出前の画像に基づいて、衝突検出前の首ねじれとして、小ねじれおよび大ねじれを判定し、前記乗員保護装置は、衝突検出前に首の小ねじれが判定される場合、衝突検出前の首ねじれが、乗員の上半身を支えるために展開されるエアバッグにより衝撃を吸収する際に増大し難くなるように、保護動作を実行する、とよい。
【００１０】
好適には、前記乗員監視装置は、前記撮像デバイスにより撮像される衝突検出後の画像に基づいて、衝突検出後の首ねじれを判定し、前記乗員保護装置は、保護動作を開始した後に、衝突検出後の首ねじれが増大し難くなるように、保護動作を実行する、とよい。
【００１１】
好適には、前記乗員監視装置は、衝突の入力方向へ向かう方向、または衝突の入力方向において乗員を支えるために展開するエアバッグの方向を判断の基準とする正対方向として、画像から得られる乗員の上半身の向きと頭部の向きとを判定し、判定した上半身の向きと頭部の向きとの差を、乗員の首ねじれとして判定する、とよい。
【００１２】
好適には、前記乗員監視装置は、車両の衝突が予測される場合に、画像から得られる乗員の頭部の向きが、乗員を直接に支えるメインエアバッグへ向いていない場合、乗員の頭部をメインエアバッグへ向けるための処理を実行する、とよい。
【００１３】
好適には、前記乗員監視装置と前記乗員保護装置とを接続するネットワーク、を有し、前記乗員監視装置は、乗員の前記判定結果として、首ねじれの判定結果またはそれに基づく乗員保護の展開指示を前記ネットワークへ出力する、とよい。
【発明の効果】
【００１４】
本発明では、車両の乗員監視装置において、車両に乗車した乗員を判定し、乗員保護装置は、その判定結果に基づいて、乗員保護の際の乗員の首ねじれを抑制するように、乗員保護を実行する。よって、衝突の際の乗員の首ねじれが抑制され得る。乗員は、たとえば乗員保護装置のエアバッグにより衝撃吸収されつつ、首ねじれが抑制され得る。
特に、本実施形態では、乗員監視装置は、乗員の判定結果として、首ねじれの判定結果またはそれに基づく乗員保護の展開指示をネットワークへ出力する。このため、乗員監視装置からデータ量が大きい画像データそのものを出力する場合に比べて、通信時間を短縮できる。仮にたとえば乗員監視装置および乗員保護装置以外の処理部において画像に基づく乗員判定をする場合と比べて、乗員保護装置は、短時間で即時的に乗員監視装置の判定結果に対応することができる。その結果、乗員保護装置は、衝突検出後に乗員監視装置から出力される判定結果に基づいて、即座に乗員保護を実行できる。また、衝突による車両の損傷の影響を受け難くなる。
【図面の簡単な説明】
【００１５】
【図１】図１は、本発明の実施形態に係る交通システムで利用可能な自動車の模式的な説明図である。
【図２】図２は、図１の自動車の制御系の模式的な説明図である。
【図３】図３は、図２の乗員監視ＥＣＵを有する乗員監視装置および乗員保護装置の構成図である。
【図４】図４は、図３の乗員保護装置の保護動作により制御される複数のエアバッグ装置およびシートベルト装置の具体例の説明図である。
【図５】図５は、図３の乗員監視装置の乗員監視ＥＣＵによる乗員保護処理のフローチャートである。
【図６】図６は、乗員監視ＥＣＵによる首ねじれの判定テーブルの一例を示す図である。
【発明を実施するための形態】
【００１６】
以下、本発明の実施形態について、図面に基づいて説明する。
【００１７】
図１は、本発明の実施形態に係る交通システム８０で利用可能な自動車１の模式的な説明図である。
図１の自動車１は、車両の一例である。自動車１は、車体の中央に乗員が乗車する車室２が設けられる。車室２には、乗員が着座するシート３が設けられる。車室２の前部には、トーボード４が設けられる。シート３の前側において、トーボード４から後向きにハンドル５が突出する。乗員は、シート３に着座してハンドル５などの操作部材を操作することができる。
【００１８】
図２は、図１の自動車１の制御系５０の模式的な説明図である。図２には、乗員監視装置４０とともに、交通システム８０の他の通信装置が図示されている。
【００１９】
図２では、自動車１の制御系５０を構成する複数の制御モジュールが、それぞれに組み込まれる制御ＥＣＵ（Ｅｌｅｃｔｒｏｎｉｃ  Ｃｏｎｔｒｏｌ  Ｕｎｉｔ）により代表して示している。
具体的には、図２には、駆動ＥＣＵ５１、操舵ＥＣＵ５２、制動ＥＣＵ５３、自動運転／運転支援ＥＣＵ５４、運転操作ＥＣＵ５５、検出ＥＣＵ５６、空調ＥＣＵ５７、乗員監視ＥＣＵ５８、保護ＥＣＵ５９、外通信ＥＣＵ６０、ＵＩＥＣＵ６１、システムＥＣＵ６２、が図示されている。これら複数の制御ＥＣＵは、自動車１で採用されるたとえばＣＡＮ（Ｃｏｎｔｒｏｌｌｅｒ  Ａｒｅａ  Ｎｅｔｗｏｒｋ）やＬＩＮ（Ｌｏｃａｌ  Ｉｎｔｅｒｃｏｎｎｅｃｔ  Ｎｅｔｗｏｒｋ）といった車ネットワーク６６により、中継装置としてのセントラルゲートウェイ６７（ＣＧＷ）６７に接続される。車ネットワーク６６は、たとえば乗員監視装置４０の乗員監視ＥＣＵ５８と乗員保護装置２６の保護ＥＣＵ５９とを接続している。
【００２０】
そして、各制御モジュールにおいて、制御ＥＣＵは、自動車１で用いる電子機器に接続される。起動された制御ＥＣＵは、各種の処理を実行し、車ネットワーク６６から取得する情報（データ）に基づいてそれぞれに接続されている電子機器の動作を制御する。また、制御ＥＣＵは、それぞれに接続されている電子機器の動作状態などの情報（データ）を車ネットワーク６６へ出力する。
たとえば、運転操作ＥＣＵ５５には、乗員が自動車１の走行を制御するために操作するハンドル５、ブレーキペダル７１、アクセルペダル７２、シフトレバー７３などの操作検出センサが接続される。運転操作ＥＣＵ５５は、操作量に応じた制御情報を、車ネットワーク６６へ出力する。駆動ＥＣＵ５１、操舵ＥＣＵ５２、制動ＥＣＵ５３は、車ネットワーク６６から情報を取得し、自動車１の走行を制御する。
【００２１】
検出ＥＣＵ５６には、自動車１の速度センサ７４、衝突などによる自動車１の加速度を検出可能な加速度センサ７５、上述した外カメラ３１、などが接続される。検出ＥＣＵ５６には、自動車１の速度センサ７４および加速度センサ７５の値、外カメラ３１の画像などを、車ネットワーク６６へ出力する。検出ＥＣＵ５６は、外カメラ３１の画像に基づいて衝突を予測し、予測結果を車ネットワーク６６へ出力してよい。セントラルゲートウェイ６７は、情報を中継する。ＵＩＥＣＵ６１は、車ネットワーク６６から情報を取得し、それに接続される表示デバイス７６に、これらの情報を表示する。ＵＩＥＣＵ６１には、表示デバイス７６とともに、乗員が操作する操作デバイス７７が接続される。
【００２２】
乗員監視ＥＣＵ５８には、上述した内カメラ４１、マイクロホン７８、が接続される。乗員監視ＥＣＵ５８は、乗員監視装置４０の制御ＥＣＵであり、内カメラ４１の画像、マイクロホン７８の音、車ネットワーク６６から取得するたとえば衝撃の加速度などの情報に応じて、自動車１に乗車している乗員に関する各種の処理を実行する。乗員監視ＥＣＵ５８は、必要に応じて画像、音、その他の情報（データ）を車ネットワーク６６へ出力する。
【００２３】
保護ＥＣＵ５９には、エアバッグ装置２０、シートベルト装置１０、が接続される。保護ＥＣＵ５９は、車ネットワーク６６から取得した情報に基づいて、エアバッグ装置２０およびシートベルト装置１０の動作を制御する。
【００２４】
外通信ＥＣＵ６０は、たとえば、自動車１の外に存在する通信基地局８１、他の自動車８２の通信装置と無線通信する。通信基地局８１、および他の自動車８２の通信装置は、サーバ装置８３とともに、交通システム８０を構成する。外通信ＥＣＵ６０は、車ネットワーク６６から取得した情報を、通信基地局８１、他の自動車８２の通信装置へ無線送信する。送信された情報は、たとえばサーバ装置８３や他の自動車８２において利用され得る。また、外通信ＥＣＵ６０は、通信基地局８１、他の自動車８２の通信装置から、情報を受信し、車ネットワーク６６へ出力する。これにより、自動車１のたとえば乗員監視ＥＣＵ５８は、外通信ＥＣＵ６０を通じて、車外のサーバ装置８３や他の自動車８２との間で情報（データ）を送受することができる。
【００２５】
また、図２に示す制御系５０は、自動車１に設けられるバッテリ９１から各部へ電力が供給されることにより動作し得る。バッテリ９１から各部への電力供給線は、たとえば車ネットワーク６６の通信ケーブルとともに自動車１に張り巡らされる。制御系５０は、バッテリ９１のほかにも、発電機、受電機から電力が供給されてもよい。
【００２６】
上述するように、自動車１では、衝突の際に乗員を保護する乗員保護機能のために、シートベルト装置１０、エアバッグ装置２０などの乗員保護装置２６が設けられる。
シートベルト装置１０は、シート３に着座した乗員の前に掛け渡されるシートベルト１１を有する。シートベルト装置１０は、衝突の際にシートベルト１１に張力を与えて、乗員がシート３から離れ難くなるように拘束する。
エアバッグ装置２０は、たとえばシート３の前側や横側において展開するエアバッグ２１を有する。エアバッグ装置２０は、衝突の際にエアバッグ２１を展開し、シート３から倒れたり離れたりしようとする乗員を支える。
このように、自動車１は、衝突の際に、乗車している乗員を保護することが可能である。乗員が着座位置から大きく外れ難くなり、乗員に対する一定の保護効果が期待できる。
【００２７】
しかしながら、衝突の際にエアバッグ２１を展開したとしても、乗員の保護効果は十分になるとは限らない。
たとえば、エアバッグ２１などによる乗員保護の際に、乗員の頭部の向きが上半身の向きに対して異なる場合、首ねじれが生じる可能性がある。
たとえば衝突の際に乗員が横を向いている場合、エアバッグ２１は、乗員を支えて重大な障害の発生を抑制できるが、首に負担がかかる可能性がある。
このように、乗員保護機能を有する自動車１では、乗員保護性能をさらに向上することが求められる。
【００２８】
図３は、図２の乗員監視ＥＣＵ５８を有する乗員監視装置４０および乗員保護装置２６の構成図である。
【００２９】
図３の乗員監視装置４０は、車内通信部１０１、乗員監視ＥＣＵ５８、メモリ１０２、タイマ１０３、マイクロホン７８、内カメラ４１、レンズ１０４の駆動部１０５、およびこれらを接続する内部バス１０６、を有する。乗員監視装置４０は、この他にもたとえば、独自に、車外緊急通信機１０７、補助加速度センサ１０８、歩行者などを撮像するための補助外カメラ１０９を、内部バス１０６に接続して備えてもよい。これにより、乗員監視装置４０は、それ単独で、衝突時処理を実行するための機能を確保することができる。
また、乗員監視装置４０の各部には、自動車１のバッテリ９１から、電力が供給される。その電力供給経路には、バックアップ電力を蓄積する蓄電池１１０が接続される。乗員監視装置４０は、自動車１から取外可能に設けられてよい。
【００３０】
車内通信部１０１は、車ネットワーク６６に接続される。車内通信部１０１は、車ネットワーク６６を通じて、たとえば図中に例示するように検出ＥＣＵ５６、乗員保護装置２６の保護ＥＣＵ５９、外通信ＥＣＵ６０、などの他の制御ＥＣＵとの間で情報（データ）を送受する。
【００３１】
内カメラ４１は、自動車１の車室２を撮像する撮像デバイスである。内カメラ４１は、自動車１に乗車している乗員を撮像可能である。
【００３２】
駆動部１０５は、レンズ１０４を駆動して、レンズ１０４の位置を制御する。レンズ１０４の位置が制御されることにより、内カメラ４１が撮像する画角が変化する。レンズ１０４が最遠位置に制御されると、内カメラ４１は、たとえば図１（Ｂ）の二点鎖線枠に示すように、ハンドル５などを操作するためにシート３に着座しているドライバとしての乗員の頭部を含む上体を撮像する。レンズ１０４が最近位置に制御されると、内カメラ４１は、たとえば図１（Ｂ）の一点鎖線枠に示すように、車室２の全体を撮像する。この場合、内カメラ４１は、ドライバとしての乗員の他に、助手席や後部座席のシート３に着座している他の乗員をも撮像することができる。
【００３３】
マイクロホン７８は、自動車１の車室２の音を電気信号へ変換する。
【００３４】
タイマ１０３は、経過時間または時刻を計測する。
【００３５】
車外緊急通信機１０７は、自動車１事故などの緊急時などにおいて自動車１の外の通信基地局８１や他の自動車８２と通信することができる通信装置である。車外緊急通信機１０７は、外通信ＥＣＵ６０と同じ通信方式で、通信基地局８１や他の自動車８２と通信してよい。
【００３６】
補助加速度センサ１０８は、加速度センサ７５と同様に、自動車１に作用する加速度を検出する。
【００３７】
メモリ１０２は、乗員監視装置４０が取得する各種の画像および検出値などを記録する。また、メモリ１０２は、乗員監視用のプログラムを記録する。
乗員監視ＥＣＵ５８は、メモリ１０２から乗員監視用のプログラムを読み込んで実行する。これにより、乗員監視ＥＣＵ５８には、乗員監視装置４０の制御部が実現される。乗員監視装置４０の制御部は、乗員監視装置４０の全体の動作を制御し、乗員監視装置４０に乗員監視機能を実現する。
たとえば、乗員監視ＥＣＵ５８は、自動車１に乗車した乗員を内カメラ４１により撮像された画像に基づいて、乗員の上半身および頭部の位置および挙動を判定する。
【００３８】
乗員保護装置２６は、保護ＥＣＵ５９、エアバッグ装置２０、シートベルト装置１０、で構成される。
乗員保護装置２６の保護ＥＣＵ５９は、たとえば、加速度センサ７５により自動車１の衝突が検出された場合、乗員監視装置４０により判定された乗員の位置および挙動の判定結果に基づいて、自動車１に乗車した乗員の保護動作を実行する。
【００３９】
図４は、図３の乗員保護装置２６の保護動作により制御される複数のエアバッグ装置２０およびシートベルト装置１０の具体例の説明図である。
図４（Ａ）は、シート３に着座した乗員を上から見た図である。図４（Ｂ）は、シート３に着座した乗員を前から見た図である。
図４の乗員保護装置２６は、フロントエアバッグ装置１２０、カーテンエアバッグ装置１３０、ファーサイドエアバッグ装置１４０、ヘッドレストエアバッグ装置１５０、シートベルトエアバッグ装置１６０、シートベルト装置１０、を有する。
【００４０】
シートベルト装置１０は、シート３に着座する乗員の腰部および上半身の前側に掛け渡されるシートベルト１１、シートベルト１１に張力を作用させるアクチエータ、を有する。
【００４１】
フロントエアバッグ装置１２０は、乗員が着座するシート３の前側に、たとえばハンドル５やトーボード４に設けられる。フロントエアバッグ１２１は、シート３に着座した上半身の前位置へ向かって、シート３の前の配設位置から後向きに展開できる。フロントエアバッグ装置１２０は、シート３を中心として円弧状に左右へ位置を移動可能に設けられてよい。これにより、フロントエアバッグ装置１２０の展開開始位置を左右へずらすことができる。フロントエアバッグ装置１２０は、フロントエアバッグ１２１の周囲において、フロントエアバッグ１２１の展開範囲と重なるように、複数のサイドエアバッグ１２２が設けられてよい。フロントエアバッグ１２１とともにサイドエアバッグ１２２が展開することにより、フロントエアバッグ１２１の展開方向を、フロントエアバッグ１２１単独で展開する方向から変えることができる。その結果として、フロントエアバッグ１２１の展開範囲も変わる。フロントエアバッグ１２１の後側の乗員接触面には、接触面エアバッグ１２３が設けられてよい。フロントエアバッグ１２１とともに接触面エアバッグ１２３が展開することにより、乗員接触面の形状を凸曲面から凹曲面へ変化させることができる。フロントエアバッグ１２１の展開形状が変わる。
【００４２】
カーテンエアバッグ装置１３０は、車室２において乗員が着座するシート３の外側に、たとえばルーフレールに沿って設けられる。カーテンエアバッグ１３１は、シート３に着座した上半身の外側位置へ向かって、シート３の外上の配設位置から下向きに展開できる。
【００４３】
ファーサイドエアバッグ装置１４０は、車室２において乗員が着座するシート３の内側に、たとえばシート３の座部またはセンタコンソールに設けられる。ファーサイドエアバッグ１４１は、シート３の内下から、シート３に着座した上半身の内側位置へ向けて上向きに展開できる。
【００４４】
ヘッドレストエアバッグ装置１５０は、乗員が着座するシート３の背部に設けられる。ヘッドレストエアバッグ１５１は、シート３の背部から、シート３に着座する乗員の頭部の左位置または右位置へ向けて前向きに展開できる。
【００４５】
シートベルトエアバッグ装置１６０は、シートベルト１１についての上半身の前側に掛け渡される部分に設けられる。シートベルトエアバッグ１６１は、上半身の前側に掛け渡されるシートベルト１１から、上向きに展開できる。
【００４６】
フロントエアバッグ１２１、カーテンエアバッグ１３１、ファーサイドエアバッグ１４１は、乗員の上半身を直接に支えるメインエアバッグである。サイドエアバッグ１２２、接触面エアバッグ１２３は、メインエアバッグの展開方向や展開範囲を変えるサブエアバッグまたはメインエアバッグからさらに展開するサブエアバッグである。シートベルトエアバッグ１６１、ヘッドレストエアバッグ１５１は、乗員の頭部の向きを変えて、メインエアバッグとしてのたとえばフロントエアバッグ１２１の方向へ向かせる補助エアバッグである。
そして、乗員保護装置２６は、シート３に着座する乗員についての、たとえば衝突による衝撃の入力方向にあるメインエアバッグを展開することにより、衝撃入力後に衝撃の入力方向へ倒れようとする乗員の上半身を、メインエアバッグで支えて、衝撃を吸収することができる。
また、乗員保護装置２６は、たとえばフロントエアバッグ装置１２０の展開開始位置を衝撃の入力方向に近づけるように駆動制御したり、サイドエアバッグ１２２または接触面エアバッグ１２３を展開したりする。これにより、乗員の上半身は、メインエアバッグに当たった後にさらにメインエアバッグから外れるように倒れ込み難くなる。
【００４７】
図５は、図３の乗員監視装置４０の乗員監視ＥＣＵ５８による乗員保護処理のフローチャートである。
乗員監視ＥＣＵ５８は、たとえば自動車１に乗員が乗車して乗員監視装置４０が動作を開始すると、図５の処理を実行する。
【００４８】
ステップＳＴ１において、乗員監視ＥＣＵ５８は、内カメラ４１による乗員の撮像画像を取得する。
【００４９】
ステップＳＴ２において、乗員監視ＥＣＵ５８は、乗員の挙動を検出するために、取得した撮像画像から乗員の頭部の画像を特徴に基づいて抽出し、抽出した画像から乗員の頭部の向きや動きを判定する。
【００５０】
ステップＳＴ３において、乗員監視ＥＣＵ５８は、取得した撮像画像から乗員の上半身を特徴に基づいて抽出し、抽出した画像から乗員の上半身の向きや動きを判定する。
【００５１】
ステップＳＴ４において、乗員監視ＥＣＵ５８は、衝突が予測されたか否かを判断する。乗員監視ＥＣＵ５８は、たとえば検出ＥＣＵ５６が車ネットワーク６６へ出力した衝突予測を車内通信部１０１から取得し、衝突予想の有無を判断する。また、外通信ＥＣＵ６０は、他の自動車８２や通信基地局８１などから自車またはその前を走行する他の自動車８２についての衝突の可能性を受信すると、進路前方の衝突情報を車ネットワーク６６へ出力する。乗員監視ＥＣＵ５８は、この進路前方の衝突情報を取得して、衝突予想の有無を判断してよい。衝突予想がありでない場合、乗員監視ＥＣＵ５８は、処理をステップＳＴ７へ進める。衝突予想がある場合、乗員監視ＥＣＵ５８は、処理をステップＳＴ３へ進める。
また、乗員監視ＥＣＵ５８は、画角切り替えを駆動部１０５へ指示して、画角を挟角から広角へ切り替えてもよい。これにより、内カメラ４１は、ドライバのみを撮像する状態から、車室２の全体を撮像する状態に切り替わる。乗員監視ＥＣＵ５８は、撮像画像に基づいて、ドライバのみならず、ドライバ以外の他乗員についても、内カメラ４１の撮像画像から、上半身や頭部の向きや動きを判定することができる。
【００５２】
ステップＳＴ５において、乗員監視ＥＣＵ５８は、乗員保護態様を選択し、指示する。展開するメインエアバッグを選択する。
自動車１の衝突には、自動車１の前部に他の自動車８２などが衝突する前衝突、自動車１の右側部または左側部に他の自動車８２などが衝突する側衝突、がある。また、自動車１の前部であっても、その中央部分に衝突する場合、端部に衝突する場合、がある。また、他の自動車８２などは、自動車１の前後方向に対して斜め方向から、斜めに衝突することもある。
乗員監視ＥＣＵ５８は、自動車１に設けられる乗員保護装置２６、特にメインエアバッグの装備に応じて、これらの衝突形態を分類して、複数の乗員保護態様を類別する。たとえば前衝突の乗員保護態様では、フロントエアバッグ１２１を乗員を支えるために展開するメインエアバッグとして選択する。側衝突の乗員保護態様では、衝撃の入力方向にあるカーテンエアバッグ１３１またはファーサイドエアバッグ１４１を、乗員を支えるために展開するメインエアバッグとして選択する。乗員監視ＥＣＵ５８は、衝突の予想に基づいて、これら複数の乗員保護態様から１つを選択し、選択した乗員保護態様による乗員保護を、乗員保護装置２６へ指示する。乗員保護装置２６は、衝突予想に基づいて、乗員保護態様で指定されるメインエアバッグを展開可能な状態にする。
【００５３】
ステップＳＴ６において、乗員監視ＥＣＵ５８は、頭部が、乗員保護態様におけるメインエアバッグの方を向いているか否かを判断する。頭部がメインエアバッグの方を向いている場合、乗員監視ＥＣＵ５８は、処理をステップＳＴ９へ進める。頭部がメインエアバッグの方を向いていいない場合、乗員監視ＥＣＵ５８は、処理をステップＳＴ７へ進める。
【００５４】
ステップＳＴ７において、乗員監視ＥＣＵ５８は、乗員の頭部が、メインエアバッグの方向へ向くように姿勢制御を実行し、警報を出力する。
保護ＥＣＵ５９は、姿勢制御のために、たとえばシートベルトエアバッグ１６１またはヘッドレストエアバッグ１５１といった補助エアバッグをゆっくりと展開させてよい。これにより、横を向いていた乗員の頭部は、補助エアバッグに押されるように規制されて向きを変え、メインエアバッグとしてのフロントエアバッグ１２１の方向へ向くようになる。自動車１の衝突が予測される場合に、画像から得られる乗員の頭部の向きが、乗員を直接に支えるメインエアバッグへ向いていないときには、乗員の頭部をメインエアバッグへ向けるための処理を実行する、
乗員監視ＥＣＵ５８は、姿勢制御のために、乗員に刺激や、警報を出力してもよい。これにより、乗員は、自主的に、頭部をメインエアバッグとしてのフロントエアバッグ１２１の方向へ向ける。
【００５５】
ステップＳＴ８において、乗員監視ＥＣＵ５８は、乗員の反応を検出する。乗員監視ＥＣＵ５８は、たとえば衝突予想後の画像に基づいて乗員の頭部や上半身の向きや動きを確認する。
【００５６】
ステップＳＴ９において、乗員監視ＥＣＵ５８は、衝突を検出したか否かを判断する。乗員監視ＥＣＵ５８は、たとえば、衝突により自動車１に作用する加速度を取得して、衝突を検出する。乗員監視ＥＣＵ５８は、たとえば検出ＥＣＵ５６が車ネットワーク６６へ出力した衝突検出を車内通信部１０１から取得し、衝突を検出してよい。乗員監視ＥＣＵ５８は、補助加速度センサ１０８の加速度が通常走行中より高い衝突有無の閾値以上である場合、衝突検出と判断してよい。衝突が検出されない場合、処理をステップＳＴ４へ戻す。衝突が検出される場合、処理をステップＳＴ１０へ進める。乗員監視ＥＣＵ５８は、衝突の衝撃の検出ではなく、衝突の回避不可の検出により、衝突を検出したか否かを判断してよい。
【００５７】
ステップＳＴ１０において、乗員監視ＥＣＵ５８は、衝撃の入力方向を取得する。乗員監視ＥＣＵ５８は、衝突により自動車１に作用する加速度を取得して、衝突の入力方向を取得する。乗員監視ＥＣＵ５８は、たとえば検出ＥＣＵ５６が車ネットワーク６６へ出力した衝突検出を車内通信部１０１から取得し、衝撃の入力方向を取得してよい。乗員監視ＥＣＵ５８は、補助加速度センサ１０８の加速度から、衝撃の入力方向を取得してよい。
【００５８】
ステップＳＴ１１において、乗員監視ＥＣＵ５８は、首ねじれの程度を判定する。乗員監視ＥＣＵ５８は、衝突予想後の画像に基づいて確認した乗員の頭部の向きや動きと、上半身の向きや動きとの差に基づいて、首ねじれの程度を判断する。乗員監視ＥＣＵ５８は、衝突の入力方向へ向かう方向、または衝突の入力方向において乗員を支えるために展開するエアバッグ２１の展開方向を、判断の基準となる正対方向とする。そして、乗員監視ＥＣＵ５８は、正対方向を基準として、画像から得られる乗員の上半身の向きと頭部の向きとを判定し、判定した上半身の向きと頭部の向きとの差を、乗員の首ねじれとして判定する。乗員監視ＥＣＵ５８は、首ねじれの程度として、たとえば、頭部の向きと上半身の向きとの角度差を、首ねじれの程度として判定する。乗員監視ＥＣＵ５８は、衝突検出前の画像に基づいて、衝突検出前の首ねじれを判定する。
【００５９】
ステップＳＴ１２において、乗員監視ＥＣＵ５８は、首ねじれの有無を判断する。乗員監視ＥＣＵ５８は、首ねじれの程度としての角度が０度または所定の微小角度以下である場合、首ねじれがないと判断し、処理をステップＳＴ１３へ進める。それ以外の場合、乗員監視ＥＣＵ５８は、処理をステップＳＴ１４へ進める。
【００６０】
ステップＳＴ１３において、乗員監視ＥＣＵ５８は、乗員保護態様による通常のエアバック展開を指示する。乗員監視ＥＣＵ５８は、乗員の位置または挙動の判定結果として、首ねじれがないことを示す判定結果を車ネットワーク６６へ出力する。このエアバックの展開指示は、判定結果に基づく乗員保護の展開指示に相当する。保護ＥＣＵ５９は、シート３に着座する乗員についての衝撃の入力方向の側にあるメインエアバッグを展開する。これにより、衝撃の入力方向へ向かって倒れようとする乗員の上半身は、メインエアバッグにより支えられ、衝撃が吸収される。また、乗員の頭部は、上半身に対して微小角度以下となっている状態で上半身とともにメインエアバッグに当たる。乗員の頭部は、上半身と同様に衝撃が吸収され得る。保護ＥＣＵ５９は、乗員保護の際の乗員の首ねじれを抑制した乗員保護を実行することが期待できる。
【００６１】
ステップＳＴ１４において、乗員監視ＥＣＵ５８は、首ねじれの程度を判断する。乗員監視ＥＣＵ５８は、首ねじれの程度として、小ねじれおよび大ねじれを判断する。乗員監視ＥＣＵ５８は、首ねじれの程度としての角度がたとえば９０度といった所定の判断角度以下である場合、首ねじれが小さいと判断し、処理をステップＳＴ１５へ進める。それ以外の大ねじれの場合、乗員監視ＥＣＵ５８は、処理をステップＳＴ１６へ進める。
【００６２】
ステップＳＴ１５において、乗員監視ＥＣＵ５８は、首ねじれを増大させ難くするエアバック展開を指示する。乗員監視ＥＣＵ５８は、乗員の位置または挙動の判定結果として、首ねじれの判定結果を車ネットワーク６６へ出力する。このエアバックの展開指示は、判定結果に基づく乗員保護の展開指示に相当する。
保護ＥＣＵ５９は、シート３に着座する乗員についての衝撃の入力方向の側にあるメインエアバッグを展開する。また、保護ＥＣＵ５９は、首ねじれを増大させ難くするようにサイドエアバッグ１２２を展開する。これにより、乗員保護の際の乗員の首ねじれを抑制するように、乗員保護を実行することができる。保護ＥＣＵ５９は、衝突検出前に首の小ねじれが判定される場合、衝突検出前の首ねじれが、乗員の上半身を支えるために展開されるメインエアバッグにより衝撃を吸収する際に増大し難くなるように、衝突検出前の首ねじれを抑制するように、保護動作を開始する。
また、さらに、乗員監視ＥＣＵ５８は、衝突検出後の画像に基づいて衝突検出後の首ねじれを判定し、エアバック展開を指示してもよい。この場合、乗員保護装置２６は、保護動作を開始した後に、衝突検出後の首ねじれが増大し難くなるように、乗員の上半身を支えているメインエアバッグの向きを変化させるサブエアバッグ１２２を展開して、保護動作を継続することができる。
【００６３】
ステップＳＴ１６において、乗員監視ＥＣＵ５８は、首ねじれを事前に抑制するための指示とともに、首ねじれを増大させ難くするエアバック展開を指示する。乗員監視ＥＣＵ５８は、乗員の位置または挙動の判定結果として、首ねじれの判定結果を車ネットワーク６６へ出力する。このエアバックの展開指示は、判定結果に基づく乗員保護の展開指示に相当する。
首ねじれを事前に抑制する指示に基づいて、保護ＥＣＵ５９は、たとえばシートベルトエアバッグ１６１またはヘッドレストエアバッグ１５１といった補助エアバッグを展開させる。これにより、首ねじれを事前に抑制することができる。横を向いていた乗員の頭部は、向きを変えてメインエアバッグの方向へ向くようになる。
次に、保護ＥＣＵ５９は、シート３に着座する乗員についての衝撃の入力方向の側にあるメインエアバックを、首ねじれを増大させ難くするように展開する。保護ＥＣＵ５９は、たとえばフロントエアバッグ１２１とともにサブエアバッグを展開させる。これにより、フロントエアバッグ１２１の展開方向を、衝撃の入力方向に沿わせるように変えて、衝撃の入力方向へ倒れようとする乗員を正面方向から展開させることができる。フロントエアバッグ１２１は、衝撃の入力方向へ倒れようとする乗員を正面から支えて、フロントエアバッグ１２１に接触した後に乗員の上体がフロントエアバッグ１２１から外れ難くなる。
衝突検出前に首の大ねじれが判定される場合、保護ＥＣＵ５９は、衝突検出前の首ねじれを抑制するように頭部を正対方向へ向けさせる保護動作を開始してから、乗員の上半身を支えるためのメインエアバッグを展開し、保護動作を実行する。
また、さらに、乗員監視ＥＣＵ５８は、衝突検出後の画像に基づいて衝突検出後の首ねじれを判定し、エアバック展開を指示してもよい。この場合、乗員保護装置２６は、保護動作を開始した後に、衝突検出後の首ねじれが増大し難くなるように、乗員の上半身を支えているメインエアバッグの向きを変化させるサブエアバッグを展開して、保護動作を継続することができる。
【００６４】
図６は、乗員監視ＥＣＵ５８による首ねじれの判定テーブルの一例を示す図である。
図６の判定テーブルは、メモリ１０２に記録されてよい。乗員監視ＥＣＵ５８は、ステップＳＴ１１の処理においてメモリ１０２から図６の判定テーブルを読み出し、首ねじれの程度を判定する。
図６の各列は、上体の向きの分類に対応し、左寄り、正対、右寄り、上向き、下向きのそれぞれに対応する。
図６の各行は、頭部の向きの分類に対応し、左寄り、正対、右寄り、上向き、下向きのそれぞれに対応する。
【００６５】
乗員監視ＥＣＵ５８は、図６の判定テーブルに基づいて、上体の向きと頭部の向きとが一致する場合、首ねじれを「なし」と判定する。
乗員監視ＥＣＵ５８は、たとえば上体の向きと頭部の向きとが左右逆向きである場合、すなわち１８０度の角度差である場合、首ねじれを「大ねじれ」と判定する。
乗員監視ＥＣＵ５８は、たとえば上体の向きと頭部の向きとが９０度の角度差である場合、首ねじれを「小ねじれ」と判定する。
【００６６】
以上のように、本実施形態では、自動車１の乗員監視装置４０において、自動車１に乗車した乗員の位置または挙動を判定し、乗員保護装置２６は、その判定結果に基づいて、乗員保護の際の乗員の首ねじれを抑制するように、乗員保護を実行する。よって、衝突の際の乗員の首ねじれが抑制され得る。乗員は、たとえば乗員保護装置２６のエアバッグ２１により衝撃吸収されつつ、首ねじれが抑制され得る。
特に、本実施形態では、乗員監視装置４０は、乗員の位置または挙動の判定結果として、首ねじれの判定結果またはそれに基づく乗員保護の展開指示をネットワークへ出力する。このため、乗員監視装置４０からデータ量が大きい画像データそのものを出力する場合に比べて、通信時間を短縮できる。仮にたとえば乗員監視装置４０および乗員保護装置２６以外の処理部において画像に基づく乗員判定をする場合と比べて、乗員保護装置２６は、短時間で即時的に乗員監視装置４０の判定結果に対応することができる。その結果、乗員保護装置２６は、衝突検出後に乗員監視装置４０から出力される判定結果に基づいて、即座に乗員保護を実行できる。また、衝突による自動車１の損傷の影響を受け難くなる。
【００６７】
本実施形態では、乗員保護装置２６は、衝突検出前の画像に基づいて判定される衝突検出前の首ねじれを抑制するように、保護動作を開始する。
たとえば、乗員監視装置４０は、衝突検出前の画像に基づいて衝突検出前の首ねじれとして小ねじれおよび大ねじれを判定する。ここで、乗員監視装置４０は、たとえば衝突の入力方向へ向かう正対方向を基準として、画像から得られる乗員の上半身の向きと頭部の向きとを判定し、判定した上半身の向きと頭部の向きとの差を、乗員の首ねじれとして判定する。
そして、乗員保護装置２６は、衝突検出前に首の大ねじれが判定される場合、衝突検出前の首ねじれを抑制するように頭部を正対方向へ向けさせる、または頭部を体の中心を向かせる補助エアバッグを展開させる保護動作を開始してから、乗員の上半身を支えるための（メイン）エアバッグ２１を展開する。これにより、たとえばエアバッグ２１により乗員の上半身が支えられる前に首ねじれを減らすことができる。
または、乗員保護装置２６は、衝突検出前に首の小ねじれが判定される場合、衝突検出前の首ねじれが、乗員の上半身を支えるために展開されるメインエアバッグにより衝撃を吸収する際に増大し難くなるように、保護動作を実行する。たとえば、乗員保護装置２６は、保護動作を開始した後に、衝突検出後の首ねじれが増大し難くなるように、乗員の上半身を支えているメインエアバッグの向きを変化させるサブエアバッグ１２２を展開して保護動作を実行する。これにより、衝突検出後にたとえばエアバッグ２１により乗員の頭部が上半身とともにエアバッグ２１により支えられている状態において、乗員の頭部が上半身に対してさらに回転してしまうことを抑制することが期待できる。
【００６８】
本実施形態では、自動車１の衝突が予測される場合に、画像から得られる乗員の頭部の向きが、乗員を直接に支えるメインエアバッグへ向いていない場合、乗員監視装置４０は、乗員の頭部をメインエアバッグへ向けるための処理を実行する。これにより、衝突検出前の乗員の首ねじれを抑制できることを期待できる。
【００６９】
そして、本実施形態のように首のねじれの“度合い”を設けて判定することにより、その度合いに応じた適切な保護動作を選択することが可能となる。
また、本実施形態のように衝突前の頭部を含めた上半身の画像を一枚撮像することにより、頭部と上半身とをつなぐ部位（首）のねじれ状態を、少ない誤差で正確に判定することができる。これに対し、仮にたとえば頭部と上半身とを別々の画像として撮像して取得すると、それらの撮像タイミングの時間差での動きにより、頭部と上半身とをつなぐ部位（首）のねじれ状態について、誤差が生じ易くなる。また、処理に用いる画像が倍増するため、メモリの負担が大きくなる。
また、本実施形態のように衝突前に、首のねじれを抑制するために顔をエアバッグのある方向に正対させるべく、乗員の姿勢と意識を最適な方向に向かせるための警報などの乗員が認知しやすい保護動作を行うことにより、衝突時の障害値を最小限に抑えることができる。
【００７０】
以上の実施形態は、本発明の好適な実施形態の例であるが、本発明は、これに限定されるのもではなく、発明の要旨を逸脱しない範囲において種々の変形または変更が可能である。
【符号の説明】
【００７１】
１…自動車（車両）、２…車室、３…シート、１０…シートベルト装置、１１…シートベルト、２０…エアバッグ装置、２１…エアバッグ、２６…乗員保護装置、４０…乗員監視装置、４１…内カメラ、５６…検出ＥＣＵ、５８…乗員監視ＥＣＵ、５９…保護ＥＣＵ、６０…外通信ＥＣＵ、７４…速度センサ、７５…加速度センサ、１０２…メモリ、１０３…タイマ、１０４…レンズ、１０５…駆動部、１０６…内部バス、１０７…車外緊急通信機、１２０…フロントエアバッグ装置、１３０…カーテンエアバッグ装置、１４０…ファーサイドエアバッグ装置、１５０…ヘッドレストエアバッグ装置、１６０…シートベルトエアバッグ装置
【図１】
2020142738.tif 000003
【図２】
2020142738.tif 000004
【図３】
2020142738.tif 000005
【図４】
2020142738.tif 000006
【図５】
2020142738.tif 000007
【図６】
2020142738.tif 000008